(57)【要約】【課題】  写真画像の鑑賞やプリント注文を手軽に行うことができる写真フイルム用包材を提供する。【解決手段】  写真フイルム用包材２は、現像済みの写真フイルム１５に向けて光を照射する可撓性の発光シート３０と、発光シート３０から照射された光によって投影された現像済みの写真フイルム１５の光像を読み取って、これを画像データとして出力する可撓性のスキャナシート３２と、画像データに基づいた画像を表示する可撓性の電子ペーパー３１とからなる。画像処理部４５は、写真フイルム１５に記録された写真画像を画像データから生成する。電子ペーパー制御部４３は、生成された写真画像を電子ペーパー３１に表示させる。通信部４６は、プリント注文受注装置４７に、操作ボタン群２０により入力されたプリント注文内容とともにプリント注文すべき写真画像のコマ画像データを送信する。【選択図】        図３
2007057975.tif 000002
【特許請求の範囲】
【請求項１】
現像済みの写真フイルムに向けて光を照射する可撓性の発光シートと、
前記発光シートから照射された光によって投影された前記現像済みの写真フイルムの光像を読み取って、これを画像データとして出力する可撓性のスキャナシートと、
前記画像データに基づいた画像を表示する可撓性の電子ペーパーと、
前記発光シート、前記スキャナシート、および前記電子ペーパーの動作を制御する制御部とからなることを特徴とする写真フイルム用包材。
【請求項２】
前記スキャナシートと前記発光シートとは、これらの間に前記現像済みの写真フイルムを収容するように、前記現像済みの写真フイルムを挟んで対向して配されていることを特徴とする請求項１に記載の写真フイルム用包材。
【請求項３】
前記現像済みの写真フイルムに記録された写真画像を前記画像データから生成する画像処理部と、
前記写真画像を前記電子ペーパーに表示させる第１表示制御部とを有することを特徴とする請求項１または２に記載の写真フイルム用包材。
【請求項４】
前記写真画像を表すコマ画像データを記憶する第１記憶部を有することを特徴とする請求項３に記載の写真フイルム用包材。
【請求項５】
前記電子ペーパーに表示する写真画像を選択させるための第１操作部を有することを特徴とする請求項３または４に記載の写真フイルム用包材。
【請求項６】
前記画像処理部は、前記写真画像のサムネイル画像を生成し、
前記第１表示制御部は、前記写真画像とともに前記サムネイル画像を前記電子ペーパーに表示させることを特徴とする請求項３ないし５のいずれかに記載の写真フイルム用包材。
【請求項７】
前記現像済みの写真フイルムに記録された写真画像のプリント注文内容を入力するための第２操作部と、
写真画像のプリント注文を受け付けるプリント注文受注装置に、前記プリント注文内容とともにプリント注文すべき写真画像のコマ画像データを送信する通信部とを有することを特徴とする請求項１ないし６のいずれかに記載の写真フイルム用包材。
【請求項８】
前記写真画像と前記プリント注文内容とを、前記電子ペーパーに一覧で表示させる第２表示制御部を有することを特徴とする請求項７に記載の写真フイルム用包材。
【請求項９】
前記プリント注文内容を記憶する第２記憶部を有することを特徴とする請求項７または８に記載の写真フイルム用包材。
【請求項１０】
前記現像済みの写真フイルムが収容された向きを判定する向き判定部と、
前記向き判定部の判定結果に基づいて、前記画像データに対して鏡像反転、または／および回転処理を施して、正規の向きに修正する反転・回転処理部とを有することを特徴とする請求項１ないし９のいずれかに記載の写真フイルム用包材。
【請求項１１】
前記向き判定部は、前記現像済みの写真フイルムに記録された文字情報を文字認識し、この文字認識結果を元に前記判定を行うことを特徴とする請求項１０に記載の写真フイルム用包材。
【請求項１２】
前記向き判定部の判定結果を記憶する第３記憶部を有することを特徴とする請求項１０または１１に記載の写真フイルム用包材。
【発明の詳細な説明】
【技術分野】
【０００１】
本発明は、現像済みの写真フイルムを収容する写真フイルム用包材に関する。
【背景技術】
【０００２】
従来、現像済みの写真フイルムに記録された写真画像をスキャナで読み取って、これをデジタル画像としてモニタに表示する画像記録装置（特許文献１参照）や、現像済みの写真フイルムから写真画像をスキャナで読み取ってデジタル画像とし、これをプリント注文するプリント注文システム（特許文献２、および３参照）が提案されている。
【特許文献１】特開２００４−３０４７６５号公報
【特許文献２】特開２０００−１２２１８６号公報
【特許文献３】特開２００２−３０４３５０号公報
【発明の開示】
【発明が解決しようとする課題】
【０００３】
特許文献１〜３に記載の手法では、スキャナの他にサーバやコンピュータなどの大掛かりな装置が必要であり、また、スキャナに写真フイルムをセットして読み取る工程や、読み取った写真画像の画像データをＣＤ−ＲＯＭなどの記憶媒体に一旦記憶する工程を経なければならないため、手軽さに欠けるという問題があった。
【０００４】
本発明は、上記課題を鑑みてなされたものであり、写真画像の鑑賞やプリント注文を手軽に行うことができる写真フイルム用包材を提供することを目的とする。
【課題を解決するための手段】
【０００５】
上記目的を達成するために、本発明の写真フイルム用包材は、現像済みの写真フイルムに向けて光を照射する可撓性の発光シートと、前記発光シートから照射された光によって投影された前記現像済みの写真フイルムの光像を読み取って、これを画像データとして出力する可撓性のスキャナシートと、前記画像データに基づいた画像を表示する可撓性の電子ペーパーと、前記発光シート、前記スキャナシート、および前記電子ペーパーの動作を制御する制御部とからなることを特徴とする。
【０００６】
前記スキャナシートと前記発光シートとは、これらの間に前記現像済みの写真フイルムを収容するように、前記現像済みの写真フイルムを挟んで対向して配されていることが好ましい。
【０００７】
前記現像済みの写真フイルムに記録された写真画像を前記画像データから生成する画像処理部と、前記写真画像を前記電子ペーパーに表示させる第１表示制御部とを有することが好ましい。
【０００８】
なお、前記写真画像を表すコマ画像データを記憶する第１記憶部を有することが好ましい。また、前記電子ペーパーに表示する写真画像を選択させるための第１操作部を有することが好ましい。さらに、前記画像処理部は、前記写真画像のサムネイル画像を生成し、前記第１表示制御部は、前記写真画像とともに前記サムネイル画像を前記電子ペーパーに表示させることが好ましい。
【０００９】
前記現像済みの写真フイルムに記録された写真画像のプリント注文内容を入力するための第２操作部と、写真画像のプリント注文を受け付けるプリント注文受注装置に、前記プリント注文内容とともにプリント注文すべき写真画像のコマ画像データを送信する通信部とを有することが好ましい。
【００１０】
なお、前記写真画像と前記プリント注文内容とを、前記電子ペーパーに一覧で表示させる第２表示制御部を有することが好ましい。また、前記プリント注文内容を記憶する第２記憶部を有することが好ましい。
【００１１】
前記現像済みの写真フイルムが収容された向きを判定する向き判定部と、前記向き判定部の判定結果に基づいて、前記画像データに対して鏡像反転、または／および回転処理を施して、正規の向きに修正する反転・回転処理部とを有することが好ましい。
【００１２】
なお、前記向き判定部は、前記現像済みの写真フイルムに記録された文字情報を文字認識し、この文字認識結果を元に前記判定を行うことが好ましい。また、前記向き判定部の判定結果を記憶する第３記憶部を有することが好ましい。
【発明の効果】
【００１３】
本発明の写真フイルム用包材によれば、現像済みの写真フイルムに向けて光を照射する可撓性の発光シートと、発光シートから照射された光によって投影された現像済みの写真フイルムの光像を読み取って、これを画像データとして出力する可撓性のスキャナシートと、画像データに基づいた画像を表示する可撓性の電子ペーパーと、発光シート、スキャナシート、および電子ペーパーの動作を制御する制御部とからなるので、写真画像の鑑賞やプリント注文を手軽に行うことができる。
【発明を実施するための最良の形態】
【００１４】
図１において、本発明の写真フイルム用包材２は、本体１０と、ボード１１とからなる。本体１０は、その基端部がボード１１に取り付けられ、先端部同士が繋がれた前面シート１２と背面シート１３とからなる。この本体１０は、前面シート１２と背面シート１３とで形成された開口１４を左右に有する袋形状をしており、この開口１４から、現像済みの写真フイルム（以下、単に写真フイルムという。）１５が入れられたフイルムシート１６が挿入される。これにより、フイルムシート１６が前面シート１２と背面シート１３との間に収容される。
【００１５】
ボード１１は、白色ＰＥＴ（ポリエチレンテレフタレート）などの可撓性を有する基板からなる。ボード１１の前面には、操作部１７が配されており、その内部には、後述するＣＰＵ４０（図３参照）などが搭載されている。
【００１６】
操作部１７は、電源ボタン１８、モード切り替えスイッチ１９、および画像のコマ送り・コマ戻し、拡大・縮小、左・右回転を実行させるための操作ボタン群２０から構成される。操作ボタン群２０は、後述する表示再生モード時に操作される。また、操作ボタン群２０は、後述するプリント注文モード時には、プリント枚数、プリントサイズ（Ｌサイズ、２Ｌサイズなど）、プリント面質（光沢、絹目）、ユーザーの個人情報（氏名、ＩＤ番号、住所など）などのプリント注文内容を入力するための操作部材としても機能する。
【００１７】
図２において、前面シート１２は、フイルムシート１６を介して写真フイルム１５に接する内側から順に、発光シート３０と、電子ペーパー３１とが積層されてなる。また、背面シート１３は、スキャナシート３２からなる。なお、図２では、フイルムシート１６の図示は省略している。
【００１８】
発光シート３０は、写真フイルム１５に向けて均一な白色光を照射する。発光シート３０には、例えば、機能性有機膜を透明電極で挟んでなる、可撓性の基板上に形成された周知の有機ＥＬディスプレイが用いられる。
【００１９】
電子ペーパー３１は、詳しくは後述するように、スキャナシート３２から出力された画像データに基づいた画像を表示する。電子ペーパー３１には、例えば、特開平１０−１６１１６１号公報に開示されるシート状表示媒体のように、エレクトロクロミック反応によって透明領域と着色領域とを呈するエレクトロクロミック層と、分散媒体（マイクロカプセル）中に分散された複数の電気泳動粒子の位置が電界によって変化されることで着色状態となる電気泳動層とが用いられ、例えば、「科学技術振興機構報」、２００４年１１月、第１３１号に開示される可撓性の透明ＴＦＴが電極として用いられている。
【００２０】
スキャナシート３２は、発光シート３０から照射された光によって投影された写真フイルム１５の光像を読み取って、これを画像データとして出力する。この画像データは、写真フイルム１５が入れられたフイルムシート１６全体を映し出した画像を表す画像データである（以下、全体の画像データという。図４参照）。
【００２１】
スキャナシート３２には、例えば、「2004 IEEE International Electron Devices Meeting（2004 IEDM）」、「2005 IEEE International Solid-State Circuits Conference(ISSCC 2005)」で、東京大学工学系研究科附属量子相エレクトロニクス研究センター助教授染谷隆夫氏と、同大学国際・産学共同研究センター兼生産技術研究所第３部教授桜井貴康氏らの研究グループが発表した、有機光ダイオード（フォトダイオード）と有機トランジスタとを組み合わせたスキャナ素子を格子状に複数配設してなる周知の可撓性スキャナシートが用いられる。このスキャナシートは、有機光ダイオードで光像を検出して光電変換し、この際に各有機トランジスタをスイッチングすることで画像データを得る。
【００２２】
写真フイルム用包材２は、スキャナシート３２で写真フイルム１５の光像を読み取るスキャナモード、電子ペーパー３１に写真フイルム１５の写真画像７０（図８参照）を表示する表示再生モード、および写真画像７０をプリント注文するためのプリント注文モードの各動作モードを備えている。これらのモードの切り替えは、モード切り替えスイッチ１９をスライド操作させることで行われる。
【００２３】
図３において、ＣＰＵ４０は、写真フイルム用包材２の各部の動作を統括的に制御する。ＣＰＵ４０には、バス４１を介して、発光シート制御部４２、電子ペーパー制御部４３、スキャナシート制御部４４、画像処理部４５、および通信部４６が接続されている。
【００２４】
発光シート制御部４２は、スキャナシート３２で写真フイルム１５の光像を読み取る際に発光シート３０を作動させ、写真フイルム１５に白色光を照射させる。電子ペーパー制御部４３は、電子ペーパー３１による画像の表示を制御する。スキャナシート制御部４４は、スキャナシート３２の動作を制御して、写真フイルム１５の光像の読み取りを行わせる。
【００２５】
図４に示すように、画像処理部４５は、画像解析回路５０、文字認識回路５１、反転・回転処理回路５２、および写真画像生成回路５３を備えている。画像解析回路５０は、図５に示す写真フイルム１５のパーフォレーション６０やバーコード６１、コマ番号６２などの目印を、周知の画像認識技術を用いて認識し、認識した目印を元に、１枚分の写真フイルム１５の画像データ（以下、１枚分の画像データという。）を、スキャナシート３２から出力された全体の画像データから抽出する。画像解析回路５０は、抽出した１枚分の画像データを文字認識回路５１および反転・回転処理回路５２に送信する。
【００２６】
文字認識回路５１は、画像解析回路５０から出力された１枚分の画像データから、写真フイルム１５のコマ番号６２、フイルム種類６３、メーカー名６４などの文字を、周知の文字認識技術を用いて認識する。
【００２７】
反転・回転処理回路５２は、文字認識回路５１で文字認識が失敗した場合、画像解析回路５０から出力された１枚分の画像データに対して反転または／および回転処理を施し、その画像データを再度文字認識回路５１に送信する。
【００２８】
具体的には、反転・回転処理回路５２は、文字認識回路５１による１回目の文字認識が失敗した場合は、１枚分の画像データに対して反転処理を施す。反転処理を施した画像データの文字認識（２回目の文字認識）も失敗した場合は、１枚分の画像データに対して１８０°回転処理を施す。
【００２９】
また、反転・回転処理回路５２は、１８０°回転処理を施した画像データの文字認識（３回目の文字認識）も失敗した場合は、１枚分の画像データに対して反転・１８０°回転処理を施す。反転・１８０°回転処理を施した画像データの文字認識（４回目の文字認識）も失敗した場合は、スキャナシート３２の読み取りエラーと判断し、電子ペーパー３１にエラーメッセージを表示させる。
【００３０】
文字認識回路５１と反転・回転処理回路５２の動作をさらに詳しく説明する。写真フイルム１５がフイルムシート１６に表裏逆で入れられていた場合には、例えば、メーカー名６４の「ＦＵＪＩ」の文字は、図６（Ａ）に示すようになる。この場合は、反転・回転処理回路５２で反転処理を施すことで、１枚分の画像データの向きが正規の向きに修正され、文字認識回路５１による２回目の文字認識が成功する。
【００３１】
また、写真フイルム１５がフイルムシート１６に上下逆で入れられていた場合には、メーカー名６４の「ＦＵＪＩ」の文字は、図６（Ｂ）に示すようになる。この場合は、反転・回転処理回路５２で１８０°回転処理を施すことで、１枚分の画像データの向きが正規の向きに修正され、文字認識回路５１による３回目の文字認識が成功する。
【００３２】
さらに、写真フイルム１５がフイルムシート１６に上下表裏逆で入れられていた場合には、メーカー名６４の「ＦＵＪＩ」の文字は、図６（Ｃ）に示すようになる。この場合は、反転・回転処理回路５２で反転・１８０°回転処理を施すことで、１枚分の画像データの向きが正規の向きに修正され、文字認識回路５１による４回目の文字認識が成功する。
【００３３】
図４に戻って、写真画像生成回路５３は、反転・回転処理回路５２で正規の向きに修正された１枚分の画像データから、１コマ分の画像を表す画像データを抽出し、これに所定の画像処理を施して、写真フイルム１５に記録された写真画像７０を表す画像データ（以下、コマ画像データという。）を生成する。また、写真画像生成回路５３は、写真画像７０のサムネイル画像７１（図８参照）を生成する。なお、図示はしていないが、画像処理部４５には、操作ボタン群２０の拡大・縮小ボタンの操作に応じて、コマ画像データに電子的な拡大・縮小処理を施す拡大・縮小処理回路や、コマ画像データに対して所定の圧縮形式で圧縮処理を施す圧縮処理回路などが設けられている。
【００３４】
図３に戻って、通信部４６は、写真画像７０のプリント注文を受け付けるプリント注文受注装置４７に、無線ＬＡＮ、Bluetoothなどの無線、またはＵＳＢケーブルなどの有線で接続されている。通信部４６は、操作部１７で入力されたプリント注文内容とともに、プリント注文すべき写真画像７０のコマ画像データをプリント注文受注装置４７に送信する。
【００３５】
メモリ４８は、写真フイルム用包材２を動作させるために必要な各種プログラムやデータを記憶するＲＯＭと、各種プログラムやデータをＲＯＭから読み出して実行する作業用メモリであるＲＡＭとからなる。メモリ４８には、写真画像生成回路５３で生成されたコマ画像データや、操作部１７で入力されたプリント注文内容が記憶される。また、メモリ４８には、文字認識回路５１で文字認識したフイルム種類６３や、反転・回転処理回路５２による反転・回転処理および文字認識回路５１の文字認識結果により判明した、写真フイルム１５がフイルムシート１６に収容された向きなどが、図７に示すようにデータテーブル化されて記憶される。
【００３６】
図８に示すように、表示再生モードにおいて、電子ペーパー３１には、電子ペーパー制御部４３の制御の下に、写真画像生成回路５３で生成された写真画像７０、およびサムネイル画像７１が表示される。また、プリント注文モードにおいては、写真画像７０とともにプリント注文内容の入力を促すウインドウが表示される。さらに、図９に示すように、プリント注文の確定後、電子ペーパー３１には、サムネイル画像７１、および操作部１７で入力されたプリント注文内容（この場合はプリントサイズ７２）が一覧表示される。
【００３７】
次に、上記構成を有する写真フイルム用包材２の処理手順について、図１０〜図１３のフローチャートを参照して説明する。まず、図１０において、写真フイルム１５が入れられたフイルムシート１６が開口１４を介して挿入され、写真フイルム用包材２に収容された後、モード切り替えスイッチ１９がスライド操作されてスキャナモードが選択されると、発光シート制御部４２により発光シート３０が点灯され、写真フイルム１５に均一な白色光が照射される。
【００３８】
これと同時に、スキャナシート制御部４４によりスキャナシート３２が作動され、スキャナシート３２により、発光シート３０から照射された光によって投影された写真フイルム１５の光像が読み取られ、全体の画像データが出力される。
【００３９】
スキャナシート３２による写真フイルム１５の光像の読み取り後、画像処理部４５の画像解析回路５０で、写真フイルム１５のパーフォレーション６０やバーコード６１、コマ番号６２などの目印が画像認識され、認識した目印を元に、１枚分の画像データが全体の画像データから抽出される。
【００４０】
図１１において、画像解析回路５０から出力された１枚分の画像データは、文字認識回路５１および反転・回転処理回路５２に送信される。文字認識回路５１では、１回目の文字認識が行われ、１枚分の画像データから、写真フイルム１５のコマ番号６２、フイルム種類６３、メーカー名６４などの文字が文字認識される。
【００４１】
文字認識回路５１による１回目の文字認識が失敗した場合は、反転・回転処理回路５２で１枚分の画像データに反転処理が施され、この反転処理された１枚分の画像データに対して文字認識回路５１で２回目の文字認識がなされる。２回目の文字認識も失敗した場合は、反転・回転処理回路５２で１枚分の画像データに１８０°回転処理が施され、文字認識回路５１で３回目の文字認識がなされる。３回目の文字認識も失敗した場合は、反転・回転処理回路５２で１枚分の画像データに反転・１８０°回転処理が施され、文字認識回路５１で４回目の文字認識がなされる。４回目の文字認識も失敗した場合は、スキャナシート３２の読み取りエラーと判断され、電子ペーパー３１にエラーメッセージが表示される。
【００４２】
文字認識回路５１による文字認識が成功した場合は、写真画像生成回路５３にて、正規の向きとなった１枚分の画像データから、１コマ分の画像を表す画像データが抽出される。そして、抽出された画像データに適当な画像処理が施されて、写真画像７０を表すコマ画像データが出力され、同時に、写真画像７０のサムネイル画像７１が生成される。
【００４３】
写真画像生成回路５３による写真画像７０、およびサムネイル画像７１の生成後、生成された画像のデータ（コマ画像データ、およびサムネイル画像７１のデータ）が、メモリ４８に記憶される。また、文字認識回路５１で文字認識したフイルム種類６３や、写真フイルム１５がフイルムシート１６に収容された向きなどを表すデータテーブルが、メモリ４８に記憶される。これら一連の処理は、１枚分の画像データがなくなるまで続行される。
【００４４】
図１２において、モード切り替えスイッチ１９のスライド操作により表示再生モードが選択されると、電子ペーパー制御部４３の制御の下に、メモリ４８に記憶されたコマ画像データ、およびサムネイル画像データに基づいた写真画像７０およびサムネイル画像７１が電子ペーパー３１に表示される。ここで、操作部１７の操作ボタン群２０が操作されて、ＣＰＵ４０で操作入力信号が検知されたときには、画像処理部４５の各回路で操作入力信号に応じた処理（コマ送り・コマ戻し、拡大・縮小、左・右回転）が施され、この処理を施された画像が電子ペーパー３１に表示される。
【００４５】
図１３において、モード切り替えスイッチ１９のスライド操作によりプリント注文モードが選択されると、電子ペーパー３１にプリント注文内容の入力を促す画面が表示され、操作部１７が操作されてプリント注文内容が入力される。
【００４６】
プリント注文内容の入力後、操作部１７が操作されてプリント注文が確定されると、通信部４６を介して、プリント注文内容とともにプリント注文すべき写真画像７０のコマ画像データがプリント注文受注装置４７に送信される。そして、サムネイル画像７１とプリント注文内容が電子ペーパー３１に一覧表示され、プリント注文内容がメモリ４８に記憶される。
【００４７】
以上詳細に説明したように、発光シート３０、電子ペーパー３１、スキャナシート３２といった機能性シートで写真フイルム用包材２を構成し、これらを用いて写真画像７０の鑑賞やプリント注文を行えるようにしたので、従来、写真画像の鑑賞やプリント注文に必須であった大規模な装置が不要となり、誰でも手軽に写真画像の鑑賞やプリント注文を行うことができる。
【００４８】
また、文字認識回路５１により写真フイルム１５が収容された向きを判定し、反転・回転処理回路５２で正規の向きに修正するようにしたので、常に正しい向きで写真画像７０を表示することができ、ユーザーの手を煩わさずに済む。
【００４９】
上記実施形態では、前面シート１２に発光シート３０および電子ペーパー３１、背面シート１３にスキャナシート３２を配した写真フイルム用包材２を例示したが、本発明はこれに限定されず、例えば、図１４に示すように、前面シート８１にスキャナシート８３および電子ペーパー８４、背面シート８２に発光シート８５を配した写真フイルム用包材８０や、図１５に示すように、前面、および背面シート９１、９２に第１スキャナシート９４、第１電子ペーパー９５、および第２スキャナシート９６、第２電子ペーパー９７、中間シート９３に発光シート９８を配し、２組の写真フイルム１５を前面、および背面シート９１、９２と中間シート９３との間で挟むようにした写真フイルム用包材９０についても、適用することができる。なお、図１５に示す写真フイルム用包材９０を用いた場合は、写真画像７０を表示する際や、プリント注文内容を一覧表示する際に、第１、第２スキャナシート９４、９６のうちのいずれで読み取ったものであるかを示す指標（例えば、第１スキャナシート９４で読み取ったものである場合は「Ａ」、第２スキャナシート９６で読み取ったものである場合は「Ｂ」）も併せて表示する。
【００５０】
また、本体１０の形状についても、図１に示した袋形状に限らず、例えば、図１６に示す写真フイルム用包材１００のように、写真フイルム１５の収容部１０１を１枚毎に区切った本体１０２を有するセパレートタイプであってもよい。さらに、図１７に示すように、スライド用の写真フイルム１１１を収容するように構成した写真フイルム用包材１１０であってもよい。なお、この場合、前面シート１１２と背面シート１１３とを、先端側から見開き可能とし、スライド用写真フイルム１１１を１枚ずつ収容するポケット１１４（１枚分のみ図示）を、背面シート１１３に形成することが好ましい。
【００５１】
上記実施形態では、文字認識回路５１による文字認識結果に基づいて、フイルムシート１６に写真フイルム１５が収容された向きを判定しているが、写真フイルム１５のある特定の部位に印や反射面を設けておき、これをＣＣＤなどで光学的に読み取ることで、写真フイルム１５が収容された向きを判定してもよい。
【００５２】
なお、上記実施形態で説明した発光シート３０、電子ペーパー３１、およびスキャナシート３２に用いた材料は一例であり、本発明を特に限定するものではない。
【図面の簡単な説明】
【００５３】
【図１】本発明の写真フイルム用包材の外観斜視図である。
【図２】写真フイルム用包材の拡大断面図である。
【図３】写真フイルム用包材の電気的構成を示すブロック図である。
【図４】画像処理部の内部構成を示すブロック図である。
【図５】写真フイルムの構成を示す拡大平面図である。
【図６】写真フイルムの収容向きによる文字の状態を示す図であり、（Ａ）は表裏逆、（Ｂ）は上下逆、（Ｃ）は上下表裏逆の状態をそれぞれ示す。
【図７】フイルム種類や写真フイルムが収容された向きなどのデータテーブルの一例を示す説明図である。
【図８】表示再生モードにおける電子ペーパーの表示状態を示す説明図である。
【図９】プリント注文の確定後、サムネイル画像およびプリント注文内容が電子ペーパーに一覧表示された状態を示す説明図である。
【図１０】スキャナモード下における処理手順を示すフローチャートである。
【図１１】スキャナモード下における処理手順を示すフローチャートである。
【図１２】表示再生モード下における処理手順を示すフローチャートである。
【図１３】プリント注文モード下における処理手順を示すフローチャートである。
【図１４】写真フイルム用包材の別の実施形態を示す拡大断面図である。
【図１５】写真フイルム用包材の別の実施形態を示す拡大断面図である。
【図１６】写真フイルム用包材の別の実施形態を示す外観斜視図である。
【図１７】写真フイルム用包材の別の実施形態を示す外観斜視図である。
【符号の説明】
【００５４】
２、８０、９０、１００、１１０  写真フイルム用包材
１５  写真フイルム
１７  操作部
２０  操作ボタン群
３０、８５、９８  発光シート
３１、８４、９５、９７  電子ペーパー
３２、８３、９４、９６  スキャナシート
４０  ＣＰＵ
４２  発光シート制御部
４３  電子ペーパー制御部
４４  スキャナシート制御部
４５  画像処理部
４６  通信部
４７  プリント注文受注装置
４８  メモリ
５１  文字認識回路
５２  反転・回転処理回路
５３  写真画像生成回路
７０  写真画像
７１  サムネイル画像
【図１】
2007057975.tif 000003
【図２】
2007057975.tif 000004
【図３】
2007057975.tif 000005
【図４】
2007057975.tif 000006
【図５】
2007057975.tif 000007
【図６】
2007057975.tif 000008
【図７】
2007057975.tif 000009
【図８】
2007057975.tif 000010
【図９】
2007057975.tif 000011
【図１０】
2007057975.tif 000012
【図１１】
2007057975.tif 000013
【図１２】
2007057975.tif 000014
【図１３】
2007057975.tif 000015
【図１４】
2007057975.tif 000016
【図１５】
2007057975.tif 000017
【図１６】
2007057975.tif 000018
【図１７】
2007057975.tif 000019